(57)【要約】      （修正有）【課題】信頼性を向上できるベースユニットおよびディスク駆動装置を提供する。【解決手段】ディスク駆動装置は、上下に延びる中心軸Ｃ周りに回転可能なモータ３を支持して径方向に拡がるベース部２０と、ベース部の周縁部から軸方向上方に延びる周壁部と、を有する。ベース部は、軸方向に貫通する貫通孔２７ｈからなって所定部品の少なくとも一部を収容するための部品収容部２７と、貫通孔２７ｈの軸方向一方側の端部を塞ぐシール部材６１と、を有する。ベース部及び周壁部は、金属製の基材２０ｋと、基材の表面に少なくとも樹脂を電着塗装して構成されたコーティング部２０ｔと、基材の表面を露出した露出部２０ｒと、を有する。露出部は、周壁部の軸方向上端部の所定の第１領域及びベース部２０の下面において部品収容部の周縁から所定幅の第２領域Ｒ２の少なくとも一方に配置される。【選択図】図３
2019061730.tif 000002
【特許請求の範囲】
【請求項１】
カバー部を取り付けた際に構成される封入空間内に空気よりも低密度の気体が封入されてディスク駆動装置に用いられるベースユニットであって、
上下に延びる中心軸周りに回転可能なモータを支持して径方向に拡がるベース部と、
前記ベース部の周縁部から軸方向上方に延びる周壁部と、
を有し、
前記ベース部は、
軸方向に貫通する貫通孔からなって所定部品の少なくとも一部を収容するための部品収容部と、
前記貫通孔の軸方向一方側の端部を塞ぐシール部材と、
を有し、
前記ベース部及び前記周壁部は、
金属製の基材と、
前記基材の表面に少なくとも樹脂を電着塗装して構成されたコーティング部と、
前記基材の表面を露出した露出部と、
を有し、
前記露出部は、前記カバー部に対向する前記周壁部の軸方向上端部の所定の第１領域及び前記ベース部の外面において前記部品収容部の周縁から所定幅の第２領域の少なくとも一方に配置される、ベースユニット。
【請求項２】
前記カバー部の軸方向下面と前記周壁部の軸方向上端面との間に挟まれたガスケットを備え、
前記第１領域の前記露出部は、前記ガスケットと前記周壁部との接触領域よりも径方向外側に配置される、請求項１に記載のベースユニット。
【請求項３】
前記第１領域の前記露出部は、前記接触領域の径方向内側から径方向外側に渡って延びる、請求項２に記載のベースユニット。
【請求項４】
前記第２領域の前記露出部は、前記シール部材の周縁よりも少なくとも外側に配置される、請求項１〜請求項３のいずれかに記載のベースユニット。
【請求項５】
前記所定部品は、前記モータの軸受機構である、請求項１〜請求項４のいずれかに記載のベースユニット。
【請求項６】
前記所定部品は、前記モータのコイルの引出線である、請求項１〜請求項４のいずれかに記載のベースユニット。
【請求項７】
前記所定部品は、前記ベース部上に配置された配線に電気的に接続されるコネクタである、請求項１〜請求項４のいずれかに記載のベースユニット。
【請求項８】
前記露出部の表面粗さＲａは０．２μｍ以上である、請求項１〜請求項７のいずれかに記載のベースユニット。
【請求項９】
前記コーティング部の材質は、エポキシ樹脂及びカオリンクレイを含む、請求項１〜請求項８のいずれかに記載のベースユニット。
【請求項１０】
請求項１〜請求項９のいずれかに記載のベースユニットと、
前記ベースユニットの上面の開口部を覆うカバー部と、
前記カバー部の軸方向下面と前記周壁部の軸方向上端面との間に挟まれたガスケットと、
前記ベース部に配置された軸受機構と、前記軸受機構により前記中心軸周りに回転可能に支持される回転部と、を有するモータと、
前記回転部に支持された磁気ディスクに対し、情報の読み出し及び書き込みの少なくとも一方を行うアクセス部と、
を有し、
前記封入空間内に前記モータ及び前記アクセス部が収容される、ディスク駆動装置であって、
前記カバー部は、前記基材、前記コーティング部及び前記露出部を有し、
前記カバー部の前記周壁部の上端面に対向する領域において、前記ガスケットと前記カバー部との接触箇所よりも径方向外側には前記カバー部の前記露出部が配置される、ディスク駆動装置。
【発明の詳細な説明】
【技術分野】
【０００１】
本発明は、ベースユニット及びディスク駆動装置に関する。
【背景技術】
【０００２】
従来のディスク駆動装置に用いられるベースプレートは特許文献１に開示されている。このベースプレートは略板状の金属製部材であり、第１面にはディスク型記録媒体（ハードディスク）、モータ、磁気ヘッド及びそのアクチュエータを収容する凹部が形成され、第２面には制御回路基板が固定される。ベースプレートの表面には電着塗装によって樹脂被覆層が形成される。
【０００３】
凹部の周囲、つまり平面視で略長方形の四辺には、カバープレートによって密閉されるシール面が設けられ、四隅と長辺の略中央部２箇所にはカバープレートを螺子止めするための螺子孔が設けられている。ベースプレートのシール面とカバープレートとの間にシール部材（例えばゴムパッキン）を挟んで固定用螺子を螺子孔に締め付ける。これにより、ベースプレートの第１面に形成された凹部はベースプレートとカバープレートとで囲まれた密閉空間となる。
【先行技術文献】
【特許文献】
【０００４】
【特許文献１】特開２００８−０２７５４０号公報
【発明の概要】
【発明が解決しようとする課題】
【０００５】
上記従来のベースプレートには樹脂被覆層が形成されている。樹脂の吸湿性は金属の吸湿性よりも高い。このため、ベースプレートとカバープレートとで囲まれた密閉空間の外部の水分が樹脂被覆層に吸収され、樹脂被覆層内を伝って密閉空間内に浸入するおそれがある。したがって、密閉空間内に浸入した水分がディスク記録媒体や磁気ヘッド等に付着するおそれがあり、ベースプレートの信頼性が低下する問題があった。
【０００６】
本発明は、信頼性を向上できるベースユニット及びディスク駆動装置を提供することを目的とする。
【課題を解決するための手段】
【０００７】
本発明の例示的なベースユニットは、カバー部を取り付けた際に構成される封入空間内に空気よりも低密度の気体が封入されてディスク駆動装置に用いられるベースユニットであって、上下に延びる中心軸周りに回転可能なモータを支持して径方向に拡がるベース部と、前記ベース部の周縁部から軸方向上方に延びる周壁部と、を有し、前記ベース部は、軸方向に貫通する貫通孔からなって所定部品の少なくとも一部を収容するための部品収容部と、前記貫通孔の軸方向一方側の端部を塞ぐシール部材と、を有し、前記ベース部及び前記周壁部は、金属製の基材と、前記基材の表面に少なくとも樹脂を電着塗装して構成されたコーティング部と、前記基材の表面を露出した露出部と、を有し、前記露出部は、前記カバー部に対向する前記周壁部の軸方向上端部の所定の第１領域及び前記ベース部の外面において前記部品収容部の周縁から所定幅の第２領域の少なくとも一方に配置される。
【０００８】
本発明の例示的なディスク駆動装置は、
上記構成のベースユニットと、
前記ベースユニットの上面の開口部を覆うカバー部と、
前記カバー部の軸方向下面と前記周壁部の軸方向上端面との間に挟まれたガスケットと、
前記ベース部に配置された軸受機構と、前記軸受機構により前記中心軸周りに回転可能に支持される回転部と、を有するモータと、
前記回転部に支持された磁気ディスクに対し、情報の読み出し及び書き込みの少なくとも一方を行うアクセス部と、
を有し、
前記封入空間内に前記モータ及び前記アクセス部が収容される、ディスク駆動装置であって、
前記カバー部は、前記基材、前記コーティング部及び前記露出部を有し、
前記カバー部の前記露出部は、前記ベース部の前記周壁部の上端面に対向する領域において、前記ガスケットと前記周壁部との接触領域よりも径方向外側に配置される。
【発明の効果】
【０００９】
本発明の例示的なベースユニット及びディスク駆動装置によれば、信頼性を向上させることができる。
【図面の簡単な説明】
【００１０】
【図１】図１は、本発明の一実施形態に係るベースユニットを備えるディスク駆動装置の縦断面図である。
【図２】図２は、本発明の一実施形態に係るベースユニットを備えるディスク駆動装置を下方から見た平面図である。
【図３】図３は、本発明の一実施形態に係るディスク駆動装置のモータ周辺の縦断面図である。
【図４】図４は、本発明の一実施形態に係るベースユニットのコネクタ収容部の近傍の縦断面図である。
【図５】図５は、図１のＡ部の詳細図である。
【発明を実施するための形態】
【００１１】
以下、本発明の例示的な実施形態について、図面を参照しながら詳細に説明する。本願明細書では、モータの中心軸と平行な方向を「軸方向」、モータの中心軸に直交する方向を「径方向」、モータの中心軸を中心とする円弧に沿う方向を「周方向」、とそれぞれ称する。また、本願明細書では、軸方向を上下方向とし、ベース部に対してカバー部を上として、各部の形状や位置関係を説明する。ただし、この上下方向の定義は、ベースユニット、モータ及びディスク駆動装置の使用時の向きを限定するものではない。
【００１２】
また、本願明細書において「平行な方向」は略平行な方向も含む。また、本願明細書において「直交する方向」は略直交する方向も含む。
【００１３】
＜１．ディスク駆動装置の全体構成＞
図１は、本発明の一実施形態に係るベースユニットを備えるディスク駆動装置を示す縦断面図である。図２は、ディスク駆動装置を下方から見た平面図である。ディスク駆動装置１は例えば、いわゆるハードディスクドライブ（ＨＤＤ）装置であり、モータ３及びアクセス部５を収容する筐体７を有する。
【００１４】
モータ３は上下に延びる中心軸Ｃを中心に回転可能になっている。アクセス部５はヘッド５１を有し、ヘッド５１は、モータ３の回転部３１に支持された磁気ディスクＭＤ（ディスク）の記録面に沿って移動する。これにより、アクセス部５は磁気ディスクＭＤに対する情報の読み出し及び書き込みの少なくとも一方を行う。
【００１５】
筐体７はベースユニット２及びカバー部４を有し、筐体７の軸方向に垂直な断面の形状は略矩形形状である。ベースユニット２にカバー部４を取り付けた際に、筐体７の内部に封入空間ＥＳが構成される。封入空間ＥＳ内には空気よりも低密度の気体が封入される。封入空間ＥＳ内に封入される気体として、例えばヘリウム、水素、またはヘリウムと水素との混合気体等を用いることができる。なお、封入空間ＥＳ内には空気が封入されてもよい。
【００１６】
ベースユニット２はベース部２０及び周壁部２５を有する。ベース部２０は、上下に延びる中心軸Ｃ周りに回転可能なモータ３を支持して径方向に拡がる。ベース部２０は軸方向から見て略矩形形状の板状部材により構成される。周壁部２５はベース部２０の周縁部から軸方向上方に延び、封入空間ＥＳの周囲を囲む。周壁部２５の上端面には複数のネジ孔（不図示）が設けられる。
【００１７】
ベース部２０と周壁部２５とは単一の部材により構成される。また、ベース部２０と周壁部２５とは互いに別部材により構成されてもよく、互いに異なる材質でもよい。なお、ベース部２０及び周壁部２５の詳細については後述する。
【００１８】
カバー部４は軸方向から見て略矩形形状の板状部材により構成され、ベースユニット２の上面の上面開口部７ａを覆う。また、カバー部４の軸方向下面と周壁部２５の軸方向上端面との間には環状の樹脂製のガスケット２６が挟まれる。なお、ガスケット２６は金属製でもよい。カバー部４の周縁部には軸方向に貫通する複数の挿通孔（不図示）が設けられる。挿通孔にネジ（不図示）を挿通し、ネジを周壁部２５のネジ孔に螺合することによりカバー部４は周壁部２５に取り付けられる。これにより、ベースユニット２にカバー部４が固定されて封入空間ＥＳが構成される。
【００１９】
＜２．モータの構成＞
図３はモータ３を示す縦断面図である。モータ３は、静止部３０及び回転部３１を有する。静止部３０は、カバー部４に対して相対的に静止している。回転部３１は、静止部３０に対して、回転可能に支持される。
【００２０】
静止部３０は、ベース部２０、ステータ３２、及びスリーブ３３を有する。
【００２１】
ベース部２０は、ステータ３２及びスリーブ３３を支持する。ベース部２０は、底板部２０ａと、略円筒状の円筒部２０ｂと、を有する。底板部２０ａは、回転部３１、磁気ディスクＭＤ及びアクセス部５（図１参照）の下方において、中心軸Ｃに対して直交する方向に拡がる。周壁部２５は底板部２０ａの周縁部に配置される。円筒部２０ｂは底板部２０ａ上で、モータ３の回転中心である中心軸Ｃと略同軸に配置される。円筒部２０ｂの下方には、軸方向に貫通する貫通孔２７ｈからなるスリーブ挿入部２７（部品収容部）が設けられる。
【００２２】
ステータ３２は、ステータコア３２ａと、複数のコイル３２ｂとを有する。ステータコア３２ａは例えばケイ素鋼板等の電磁鋼板が軸方向に積層された積層鋼板により形成される。ステータコア３２ａは円筒部２０ｂの外周面に固定される。また、ステータコア３２ａは径方向外側へ向けて突出した複数本のティース３２ｃを有する。コイル３２ｂは、各ティース３２ｃの周囲に巻かれた導線により構成される。
【００２３】
底板部２０ａのコイル３２ｂの近傍には引出線挿通部２８（部品収容部）が設けられる。引出線挿通部２８は、底板部２０ａを軸方向に貫通する貫通孔２８ｈからなってコイル３２ｂの引出線３２ｅ（所定部品）の少なくとも一部を収容する。引出線挿通部２８の下端部はシール部材６２で覆われる。シール部材６２には引出線３２ｅを挿通する挿通孔（不図示）が設けられる。なお、貫通孔２８ｈは、周方向一部に設けられ、平面視において、円弧状もしくは矩形状である。
【００２４】
引出線３２ｅは引出線挿通部２８を介して筐体７の外部に引き出される。筐体７の外部へ引き出された引出線３２ｅは回路基板９０（図２参照）に電気的に接続される。回路基板９０は、外部電源装置（不図示）に電気的に接続される。なお、本実施形態では、回路基板９０は、ＦＰＣ（Ｆｌｅｘｉｂｌｅ  Ｐｒｉｎｔｅｄ  Ｃｉｒｃｕｉｔｓ）である。
【００２５】
スリーブ３３は、後述のシャフト３４の周囲において、軸方向に略円筒状に延びる。スリーブ３３の下部は円筒部２０ｂ及びスリーブ挿入部２７内に収容され、例えば接着剤により円筒部２０ｂ及びスリーブ挿入部２７の周面に固定される。すなわち、スリーブ挿入部２７は、軸方向に貫通する貫通孔２７ｈからなってスリーブ３３の少なくとも一部を収容する。スリーブ３３の内周面は、シャフト３４の外周面と径方向に対向する。また、スリーブ３３の下端の開口はシール部材６１によって塞がれる。この時、シール部材６１は、貫通孔２７ｈの軸方向下方側（軸方向一方側）の端部を塞ぐ。
【００２６】
シール部材６１、６２は例えば樹脂により構成され、底板部２０ａの下面（外面）上の後述の露出部２０ｒに粘着剤等で貼り付けられる。なお、シール部材６１、６２は、樹脂層と金属層とを積層させた多層構造により構成されてもよい。
【００２７】
回転部３１は、シャフト３４、ハブ３６及び環状のマグネット３７を有する。
【００２８】
シャフト３４はスリーブ３３の径方向内側において軸方向に延びる。シャフト３４の上端部はスリーブ３３の上面より上方に突出する。また、スリーブ３３及びシール部材６１と、シャフト３４との間には潤滑流体（不図示）が介在する。シャフト３４は、スリーブ３３及びシール部材６１に対して、潤滑流体を介して、回転可能に支持される。潤滑流体として、例えばポリオールエステル系オイルまたはジエステル系オイル等を使用することができる。
【００２９】
軸受機構は、スリーブ３３、シール部材６１及び潤滑流体により構成される。回転部３１は、ベースユニット２に配置された軸受機構により、中心軸Ｃ周りに回転可能に支持される。すなわち、ベース部２０は、軸方向に貫通する貫通孔２７ｈからなって軸受機構（所定部品）の少なくとも一部を収容するためのスリーブ挿入部２７（部品収容部）を有する。
【００３０】
ハブ３６はシャフト３４の上端部の周縁部から径方向外側及び軸方向下側へ向けて拡がる。ハブ３６の内周部はシャフト３４の上端部に固定される。また、ハブ３６の下端部には環状の段差部３６ａが設けられ、磁気ディスクＭＤは段差部３６ａにより支持される。
【００３１】
マグネット３７は、磁性体のバックヨーク３８を介してハブ３６に固定される。マグネット３７の径方向内側の面は複数のティース３２ｃと径方向に対向する。また、マグネット３７の径方向内側の面にはＮ極とＳ極とが周方向に交互に着磁される。
【００３２】
上記構成のモータ３において、回路基板９０（図２参照）を介してコイル３２ｂに駆動電流が与えられると、ステータコア３２ａの複数のティース３２ｃに径方向の磁束が生じる。そして、ティース３２ｃとマグネット３７との間の磁束の作用により周方向のトルクが発生する。これにより、静止部３０に対して回転部３１が中心軸Ｃを中心として回転する。ハブ３６の段差部３６ａに支持された磁気ディスクＭＤは回転部３１とともに中心軸Ｃを中心として回転する。
【００３３】
＜３．コネクタ収容部の構成＞
図４は、ベース部２０のコネクタ収容部２１の近傍の縦断面図である。ベース部２０は、軸方向に貫通する貫通孔２１ｈからなってコネクタ２２を収容するためのコネクタ収容部２１（部品収容部）を有する。コネクタ収容部２１は下方から上方に向かって順に、下方空間部２１ａ、中央空間部２１ｂ、及び上方空間部２１ｃを有する。下方空間部２１ａの軸方向に垂直な断面積は、中央空間部２１ｂ及び上方空間部２１ｃの軸方向に垂直な断面積よりも大きい。上方空間部２１ｃの軸方向に垂直な断面積は、中央空間部２１ｂ及び下方空間部２１ａの軸方向に垂直な断面積よりも小さい。また、下方空間部２１ａ、中央空間部２１ｂ、及び上方空間部２１ｃの軸方向の長さは略同じである。
【００３４】
下方空間部２１ａにはコネクタ２２が配置される。コネクタ２２は下方空間部２１ａの上面２１ｄに接着剤２３で接着される。中央空間部２１ｂ及び上方空間部２１ｃにはコネクタ２２の上面に電気的に接続される配線（不図示）の一部が収容される。配線は上方空間部２１ｃを介してベース部２０の上面（内面）に引き出されてベース部２０上に配置され、アクセス部５等に電気的に接続される。
【００３５】
なお、コネクタ２２は下方空間部２１ａの上面２１ｄに接着されることにより貫通孔２１ｈの軸方向下方側の端部を塞ぐ。すなわち、コネクタ２２はシール部材６１、６２と同様な機能を有する。なお、コネクタ２２は、上方空間部２１ｃに配置されても良い。この場合、上方空間部２１ｃの軸方向に垂直な断面積は、中央空間部２１ｂ及び下方空間部２１ａの軸方向に垂直な断面積よりも大きい。また、この場合には、下方空間部２１ａの軸方向に垂直な断面積は、中央空間部２１ｂ及び上方空間部２１ｃの軸方向に垂直な断面積よりも小さい。
【００３６】
＜４．ベース部及び周壁部の構成について＞
図５は、図１のＡ部の詳細図である。ベース部２０（図３、図４参照）及び周壁部２５は、金属製の基材２０ｋと、基材２０ｋの表面に少なくとも樹脂を電着塗装して構成されたコーティング部２０ｔと、基材２０ｋの表面を露出した露出部２０ｒと、を有する。ここで、「基材２０ｋの表面」とは、基材２０ｋの筐体７の外部に臨む面（外面）のみならず封入空間ＥＳに臨む面（内面）も含む。
【００３７】
基材２０ｋは、例えばアルミニウムまたはステンレス鋼により構成される。コーティング部２０ｔの膜厚は約５０μｍであり、コーティング部２０ｔは、例えばエポキシ樹脂及びカオリンクレイを含む。これにより、コーティング部２０ｔを容易に形成することができる。コーティング部２０ｔにより、基材２０ｋの金属のパーティクル等の不純物が封入空間ＥＳ内で飛散することを防止することができ、封入空間ＥＳ内の清浄度を向上させることができる。また、ベースユニット２の絶縁性及び耐食性を向上させることができる。
【００３８】
また、カバー部４も基材２０ｋ、コーティング部２０ｔ及び露出部２０ｒを有する。カバー部４にコーティング部２０ｔを形成することにより、封入空間ＥＳ内の清浄度をより向上させることができる。
【００３９】
露出部２０ｒは、カバー部４に対向する周壁部２５の軸方向上端部の所定の第１領域Ｒ１（図５参照）と、ベース部２０の下面（外面）において、スリーブ挿入部２７、引出線挿通部２８及びコネクタ収容部２１のそれぞれの周縁から所定幅Ｗの第２領域Ｒ２（図３、図４参照）とに配置される。
【００４０】
以上のように、ベースユニット２は、カバー部４を取り付けた際に構成される封入空間ＥＳ内に空気よりも低密度の気体が封入されてディスク駆動装置１に用いられる。ベースユニット２は、上下に延びる中心軸Ｃ周りに回転可能なモータ３を支持して径方向に拡がるベース部２０と、ベース部２０の周縁部から軸方向上方に延びる周壁部２５と、を有する。ベース部２０は、軸方向に貫通する貫通孔２７ｈからなって軸受機構（所定部品）の少なくとも一部を収容するためのスリーブ挿入部２７（部品収容部）と、貫通孔２７ｈの軸方向一方側の端部を塞ぐシール部材６１と、を有する。ベース部２０及び周壁部２５は、金属製の基材２０ｋと、基材２０ｋの表面に少なくとも樹脂を電着塗装して構成されたコーティング部２０ｔと、基材２０ｋの表面を露出した露出部２０ｒと、を有する。そして、露出部２０ｒは、カバー部４に対向する周壁部２５の軸方向上端部の所定の第１領域Ｒ１及びベース部２０の下面（外面）においてスリーブ挿入部２７の周縁から所定幅Ｗの第２領域Ｒ２に配置される。
【００４１】
これにより、基材２０ｋの表面のコーティング部２０ｔは露出部２０ｒで分断される。このため、封入空間ＥＳの外部でコーティング部２０ｔに吸収されてコーティング部２０ｔ内を移動してきた水分は露出部２０ｒで遮断される。したがって、封入空間ＥＳの外部の水分がコーティング部２０ｔを介して封入空間ＥＳ内に浸入することを抑制できる。その結果、封入空間ＥＳ内の磁気ディスクＭＤまたはヘッド５１等への水分の付着を抑制し、ベースユニット２の信頼性を向上させることができる。
【００４２】
また、露出部２０ｒは第１領域Ｒ１及び第２領域Ｒ２に配置されればよく、基材２０ｋの封入空間ＥＳ内に臨む面に対して露出部２０ｒを広範囲に設ける必要はない。このため、ベース部２０及び周壁部２５に露出部２０ｒを設けても封入空間ＥＳ内の清浄度の低下を抑制することができる。また、コーティング部２０ｔは電着塗装により構成されるため、基材２０ｋに対して比較的高価なニッケルメッキ処理を施す場合よりもベースユニット２の製造コストを削減することができる。
【００４３】
なお、封入空間ＥＳ内に浸入する水分の経路のうち、コーティング部２０ｔ内を伝って浸入する経路に最も水分が含まれる。一方、ベースユニット２に露出部２０ｒを設けない場合、封入空間ＥＳ内に浸入する全水分に対してシール部材６１、６２及びガスケット２６内を伝って浸入する水分の割合は少ない。このため、本実施形態において、シール部材６１、６２及びガスケット２６を樹脂により構成したとしても、ベースユニット２に露出部２０ｒを設けることにより、比較的高い割合で封入空間ＥＳ内への水分浸入を抑制することができる。
【００４４】
なお、本実施形態では、シール部材６１、６２はそれぞれ貫通孔２７ｈ、２８ｈの軸方向下方側の端部を塞いでいるが、軸方向上方側の端部を塞いでもよい。すなわち、シール部材６１、６２はそれぞれ貫通孔２７ｈ、２８ｈの軸方向一方側を塞げばよい。
【００４５】
図５に示すように、第１領域Ｒ１の露出部２０ｒは、ガスケット２６と周壁部２５との接触領域Ｒｃよりも径方向外側に配置される。これにより、封入空間ＥＳの外部でコーティング部２０ｔに吸収された水分が上面開口部７ａ（図１参照）を介して封入空間ＥＳ内に浸入することを抑制できる。
【００４６】
図５に示すように、第１領域Ｒ１の露出部２０ｒは、接触領域Ｒｃの径方向内側から径方向外側に渡って延びる。これにより、封入空間ＥＳの外部でコーティング部２０ｔに吸収された水分が上面開口部７ａ（図１参照）を介して封入空間ＥＳ内に浸入することを一層抑制できる。
【００４７】
なお、図５に示すように、カバー部４の周壁部２５の上端面に対向する領域Ｒ３において、カバー部４とガスケット２６との接触箇所ＣＴを径方向で挟んで露出部２０ｒを配置してもよい。この時、接触箇所ＣＴよりも径方向外側にはカバー部４の露出部２０ｒが配置される。これにより、封入空間ＥＳの外部でカバー部４のコーティング部２０ｔに吸収された水分が上面開口部７ａ（図１参照）を介して封入空間ＥＳ内に浸入することを抑制できる。
【００４８】
図３に示すように、第２領域Ｒ２の露出部２０ｒは、シール部材６１、６２の周縁よりも少なくとも外側に配置される。これにより、封入空間ＥＳの外部でコーティング部２０ｔに吸収された水分がそれぞれスリーブ挿入部２７及び引出線挿通部２８を介して封入空間ＥＳ内に浸入することをより抑制できる。なお、ここでいう「外側」とは、シール部材６１、６２で覆う貫通孔２７ｈ、２８ｈの略中心から見た外側である。すなわち、シール部材６１の周囲における露出部２０ｒは、シール部材６１よりも径方向外側の領域全域に設けられており、シール部材６２の周囲における露出部２０ｒは、シール部材６２よりも径方向外側の領域だけでなく、径方向内側および周方向の領域にも設けられている。
【００４９】
モータ３の軸受機構（所定部品）の少なくとも一部はスリーブ挿入部２７（部品収容部）に収容され、露出部２０ｒは、ベース部２０の下面（外面）においてスリーブ挿入部２７の周縁から所定幅Ｗの第２領域Ｒ２に配置される。これにより、軸受機構を配置するベースユニット２の厚み（軸方向の長さ）の増大を抑制しながら、コーティング部２０ｔを介した封入空間ＥＳ内への水分浸入を抑制することができる。
【００５０】
コイル３２ｂの引出線３２ｅ（所定部品）の少なくとも一部は引出線挿通部２８（部品収容部）に収容され、露出部２０ｒは、ベース部２０の下面（外面）において引出線挿通部２８の周縁から所定幅Ｗの第２領域Ｒ２に配置される。これにより、コイル３２ｂの引出線３２ｅを封入空間ＥＳの外部に容易に引き出しながら、コーティング部２０ｔを介した封入空間ＥＳへの水分浸入を抑制することができる。
【００５１】
コネクタ２２（所定部品）はコネクタ収容部２１（部品収容部）に収容され、露出部２０ｒは、ベース部２０の下面（外面）においてコネクタ収容部２１の周縁から所定幅Ｗの第２領域Ｒ２に配置される。これにより、コネクタ２２をコネクタ収容部２１に収容してベースユニット２の厚み（軸方向の長さ）の増大を抑制しながら、コーティング部２０ｔを介した封入空間ＥＳ内への水分浸入を抑制することができる。なお、本実施形態において、コネクタ収容部２１（部品収納部）の周縁はコネクタ２２の周縁に略一致する。
【００５２】
なお、露出部２０ｒの表面粗さＲａが０．２μｍ以上であると、シール部材６１、６２と露出部２０ｒとの密着性、及びカバー部４と露出部２０ｒとの密着性を向上させることができるため、望ましい。また、露出部２０ｒの表面粗さＲａが１．６μｍ以下であると、ベースユニット２の寸法精度の低下を抑制できるため、より望ましい。
【００５３】
また、本実施形態において、露出部２０ｒは、第１領域Ｒ１及び第２領域Ｒ２の両方に配置されているが、第１領域Ｒ１及び第２領域Ｒ２の少なくとも一方に配置されればよい。なお、露出部２０ｒが第１領域Ｒ１及び第２領域Ｒ２の両方に配置されると、封入空間ＥＳへの水分浸入をより抑制できるため望ましい。
【００５４】
＜４．ディスク駆動装置の動作＞
上記構成のディスク駆動装置１において、モータ３の回転部３１で磁気ディスクＭＤが支持され、中心軸Ｃ周りに回転部３１が回転する。アクセス部５のヘッド５１は磁気ディスクＭＤの記録面に沿って移動し、アクセス部５は磁気ディスクＭＤに対して情報の読み出し及び書き込みの少なくとも一方を行う。
【００５５】
この時、封入空間ＥＳ内には、空気よりも低密度の気体が封入されている。これにより、磁気ディスクＭＤ及びアクセス部５に加わる粘性抵抗が小さくなる。したがって、ディスク駆動装置１の駆動時における磁気ディスクＭＤ及びアクセス部５の風損が低減される。
【００５６】
モータ３及びディスク駆動装置１はベースユニット２を備える。このため、封入空間ＥＳの外部の水分がコーティング部２０ｔを介して封入空間ＥＳ内へ浸入することを抑制できる。したがって、封入空間ＥＳ内でのモータ３またはアクセス部５等への水分の付着を防止でき、モータ３及びディスク駆動装置１の信頼性を向上させることができる。
【００５７】
＜７．その他＞
以上、本発明の実施形態につき説明したが、本発明の範囲はこれに限定されるものではなく、発明の主旨を逸脱しない範囲で種々の変更を加えて実施することができる。また、上記実施形態やその変形例は適宜任意に組み合わせることができる。
【産業上の利用可能性】
【００５８】
本発明は、例えばディスク駆動装置に用いられるベースユニットに利用可能である。また、本発明は、例えばベースユニットを備えるディスク駆動装置に利用可能である。
【符号の説明】
【００５９】
１・・・ディスク駆動装置、２・・・ベースユニット、２０・・・ベース部、２０ａ・・・底板部、２０ｂ・・・円筒部、２０ｈ・・・貫通孔、２０ｋ・・・基材、２０ｔ・・・コーティング部、２０ｒ・・・露出部、２１・・・コネクタ収容部（部品収容部）、２１ａ・・・下方空間部、２１ｂ・・・中央空間部、２１ｃ・・・上方空間部、２１ｄ・・・上面、２１ｈ・・・貫通孔、２２・・・コネクタ、２３・・・接着剤、２５・・・周壁部、２６・・・ガスケット、２７・・・スリーブ挿入部（部品収容部）、２７ｈ・・・貫通孔、２８・・・引出線挿通部（部品収容部）、２８ｈ・・・貫通孔、３・・・モータ、３０・・・静止部、３１・・・回転部、３２・・・ステータ、３２ａ・・・ステータコア、３２ｂ・・・コイル、３２ｃ・・・ティース、３２ｅ・・・引出線、３３・・・スリーブ、３４・・・シャフト、３６・・・ハブ、３６ａ・・・段差部、３７・・・マグネット、３８・・・バックヨーク、４・・・カバー部、４ｋ・・・基材、５・・・アクセス部、５１・・・ヘッド、６１・・・シール部材、６２・・・シール部材、７・・・筐体、７ａ・・・上面開口部、９０・・・回路基板、Ｃ・・・中心軸、ＣＴ・・・接触箇所、ＥＳ・・・封入空間、Ｒ１・・・第１領域、Ｒ２・・・第２領域、Ｒ３・・・領域、Ｒｃ・・・接触領域、Ｗ・・・幅
【図１】
2019061730.tif 000003
【図２】
2019061730.tif 000004
【図３】
2019061730.tif 000005
【図４】
2019061730.tif 000006
【図５】
2019061730.tif 000007